【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
自由端部を有する幹状音響導波管セクションと、
該幹状部に接続された接続端部と音響エネルギー源を受け入れるための終端部とをそれぞれ有する複数の枝状音響導波管セクションと、
を備えていることを特徴とする装置。
【請求項２】
請求項１に記載の装置において、
前記複数の枝状セクションのうちの少なくとも１つの横断面積が、前記終端部から前記接続端部まで減少していることを特徴とする装置。
【請求項３】
請求項１に記載の装置において、
前記複数の枝状導波管の内部容積が、略同一であることを特徴とする装置。
【請求項４】
請求項１に記載の装置において、
前記音響エネルギー源を複数備えていることを特徴とする装置。
【請求項５】
請求項４に記載の装置において、
前記音響エネルギー源のそれぞれが、音響ドライバーを備えていることを特徴とする装置。
【請求項６】
請求項５に記載の装置において、
前記音響ドライバーのそれぞれが、前記枝状セクションの終端部に音響的に接続された第１の放射面と、自由空気の方を向く第２の放射面と、を備えていることを特徴とする装置。
【請求項７】
請求項６に記載の装置において、
前記第２の放射面が、ほぼ第１の方向を向いていることを特徴とする装置。
【請求項８】
請求項１に記載の装置において、
メインハウジングを備え、前記枝状導波管セクションが複数のサブセクションをさらに備え、該サブセクションが前記メインハウジングの内面から延びるパネルによって部分的に形成されていることを特徴とする装置。
【請求項９】
請求項１に記載の装置において、
枝状セクションのそれぞれのサブセクションの長さが、略同一であることを特徴とする装置。
【請求項１０】
請求項１に記載の装置において、
前記幹状導波管セクションの横断面積が、前記自由端部からその長さ方向に沿って増大していることを特徴とする装置。
【請求項１１】
請求項１に記載の装置において、
前記複数の枝状導波管セクションのうちの少なくとも２つが、前記幹状セクションに沿って異なる位置で接続されていることを特徴とする装置。
【請求項１２】
請求項１に記載の装置において、
前記複数の枝状導波管セクションの終端部が、空間的に分離されていることを特徴とする装置。
【請求項１３】
請求項８に記載の装置において、
前記メインハウジングが、略台形であることを特徴とする装置。
【請求項１４】
請求項１に記載の装置において、
前記複数の枝状導波管セクションが、等しくない長さを有していることを特徴とする装置。
【請求項１５】
１つの自由端部を有する幹状導波管セクションと；
前記自由端部以外の位置で前記幹状導波管セクションに接続された第１及び第２の枝状導波管セクションと；
を備え、
前記第１及び第２の導波管セクションのそれぞれが、少なくとも１つの音響ドライバーを含む音響エネルギー源に音響的に接続された終端部を有していることを特徴とする音響導波管システム。
【請求項１６】
請求項１５に記載の音響導波管システムにおいて、
前記第１及び第２の導波管セクションが、略同一の長さを有していることを特徴とする音響導波管システム。
【請求項１７】
請求項１５に記載の音響導波管システムにおいて、
前記第１及び第２の導波管セクションが、それらの長さ方向に沿って略同一の横断面積を有していることを特徴とする音響導波管システム。
【請求項１８】
請求項１５に記載の音響導波管システムにおいて、
前記第１及び第２の導波管セクションの終端部が、空間的に互いに分離されていることを特徴とする音響導波管システム。
【請求項１９】
請求項１５に記載の音響導波管システムにおいて、
前記幹状導波管セクションの横断面積が、前記自由端部からその長さ方向に沿って次第に増大していることを特徴とする音響導波管システム。
【請求項２０】
請求項１５に記載の音響導波管システムにおいて、
前記音響ドライバーのそれぞれが、自由空気の方を向く第１の放射面と、該第１の面とは反対側の、前記枝状導波管セクションに音響的に接続された第２の放射面と、を備えていることを特徴とする音響導波管システム。
【請求項２１】
請求項２０に記載の音響導波管システムにおいて、
前記第１の放射面のそれぞれが、ほぼ第１の方向を向いていることを特徴とする音響導波管システム。
【請求項２２】
請求項２１に記載の音響導波管システムにおいて、
前記第１及び第２の導波管セクションにプログラム情報を供給するために音響エネルギー源を使用する電子装置をさらに備えていることを特徴とする音響導波管システム。
【請求項２３】
ハウジングと、
電子音声回路と、
前記電子音声回路に接続された音響エネルギー源と、
導波管構造体と、
を備え、
前記導波管構造体が、自由端部を有する幹状音響導波管セクションと、該幹状部に接続された接続端部と音響エネルギー源を受け入れるための終端部とをそれぞれ有する複数の枝状音響導波管セクションと、を備えていることを特徴とするオーディオプレーヤー。
【請求項２４】
自由端部を有する幹状音響導波管セクションと、
該幹状部に接続された接続端部と音響エネルギー源を受け入れるための終端部とをそれぞれ有する第１及び第２の枝状音響導波管セクションと、
前記幹状及び枝状セクションの容積よりも十分に小さな容積を画成し、開放部によって前記枝状セクション及び幹状セクションのうちの少なくとも１つに結合される細長いキャビティと、
前記第１及び第２の枝状導波管セクションの終端部に接続された第１及び第２の音響エネルギー源と、
を備え、
前記第１及び第２の音響エネルギー源が、前記第１及び第２のセクションの終端部に音響的に接続された第１の放射面と自由空気の方を向く第２の放射面とをそれぞれ含む第１及び第２の音響ドライバーを備えていることを特徴とする電子音響導波管変換システム。
【請求項２５】
請求項２４に記載のシステムにおいて、
前記自由端部の横断面積Ａと前記導波管の低域遮断周波数での音の波長λとの間の関係が、以下の式によって与えられていることを特徴とするシステム。
（ √Ａ）／λ≦０．０６７
【請求項２６】
請求項２５に記載のシステムにおいて、
前記低域遮断周波数が、約５５Ｈｚであることを特徴とするシステム。
【請求項２７】
請求項２５に記載のシステムにおいて、
前記横断面積Ａが、約２．５平方インチであることを特徴とするシステム。
【請求項２８】
ツリー構造を有するとともに第１の数の開口端部ルートノードと第２の数の終端部リーフノードとを含む音響導波管システムを備え、
前記第１の数の開口端部ルートノードが、複数の内部導波管セクションと第３の数の内部ノードとを介して前記第２の数の終端部リーフノードに接続され、
前記第２の数の終端リーフノードのそれぞれ１つが、音響エネルギー源に音響的に接続されていることを特徴とする装置。
【請求項２９】
請求項２８に記載の装置において、
前記第２の数が、前記第１の数より大きいことを特徴とする装置。
【請求項３０】
請求項２８に記載の装置において、
前記第１の数の開口端部ルートノードが、空間的に互いに分離されていることを特徴とする装置。
【請求項３１】
請求項２８に記載の装置において、
前記第２の数の終端部リーフノードのそれぞれが、音響エネルギー源に接続されていることを特徴とする装置。
【請求項３２】
請求項３１に記載の装置において、
前記音響エネルギー源が、少なくとも１つの音響ドライバーを備えていることを特徴とする装置。
【請求項３３】
請求項２８に記載の装置において、
前記第２の数の終端部リーフノードが、空間的に互いに分離されていることを特徴とする装置。
【請求項３４】
請求項２８に記載の装置において、
異なるプログラム情報が、前記第２の数の終端部リーフノードに供給されることを特徴とする装置。
【請求項３５】
自由端部を有する幹状音響導波管セクションと、
該幹状部に接続された接続端部と音響エネルギー源を受け入れるための終端部とをそれぞれ有する第１及び第２の枝状音響導波管セクションと、
前記幹状及び枝状セクションの容積よりも十分に小さな容積を画成し、前記セクションと前記キャビティとの間の開放部を形成する孔を介して前記枝状セクション及び幹状セクションのうちの少なくとも１つに取り付けられる細長いキャビティと、
を備え、
共振ピークを十分に減少させるように、前記細長いキャビティが大きさを設定され、かつ、前記孔が前記枝状及び幹状セクションのうちの少なくとも１つに沿って配置されていることを特徴とする装置。
【請求項３６】
請求項３５に記載の装置において、
前記細長いキャビティが、分岐した共振チャンバを備えていることを特徴とする装置。
【請求項３７】
請求項３５に記載の装置において、
前記細長いキャビティ内に配置された音響減衰材料をさらに備えていることを特徴とする装置。
【請求項３８】
自由端部と終端部とを有する導波管と、
前記導波管内のターゲット定常波の波長の約４分の１の長さを有するとともに、前記導波管の容積よりも十分に小さな容積を画成し、孔を介して前記導波管に取り付けられた細長いキャビティと、
を備え、
前記孔が、前記ターゲット定常波の最大圧力に対応あるいは近接する導波管の長さに沿った位置に配置されていることを特徴とする電子音響導波管変換システム。
【請求項３９】
請求項３８に記載のシステムにおいて、
前記導波管の終端部に接続された接続端部と音響エネルギー源を受け入れるための終端部とをそれぞれ有する第１及び第２の枝状音響導波管セクションと、
前記第１及び第２のセクションの前記終端部に音響的に接続された第１の放射面と自由空気の方を向く第２の放射面とをそれぞれ含む第１及び第２の音響ドライバーと、
を備えていることを特徴とするシステム。
【請求項４０】
請求項３９に記載のシステムにおいて、
前記自由端部の横断面積Ａと前記導波管の低域遮断周波数での音の波長λとの間の関係が、以下の式によって与えられていることを特徴とするシステム。
（ √Ａ）／λ≦０．０６７
【請求項４１】
請求項３８に記載のシステムにおいて、
前記孔に近接して配置された音響減衰材料をさらに備えていることを特徴とするシステム。
【請求項４２】
請求項３８に記載のシステムにおいて、
前記細長いキャビティ内に配置された音響減衰材料をさらに備えていることを特徴とするシステム。
【請求項４３】
請求項１に記載の装置において、
前記自由端部の断面積Ａと前記導波管の低域遮断周波数での音の波長λとの間の関係が、以下の式によって与えられていることを特徴とする装置。
（ √Ａ）／λ≦０．０６７
【請求項４４】
請求項１に記載の装置において、
共振ピークを十分に減少させるように、減衰材料をさらに備えていることを特徴とする装置。
【請求項４５】
請求項１に記載の装置において、
共振ピークを十分に減少させるように、前記導波管に結合された横方向通路をさらに備えていることを特徴とする装置。
【請求項４６】
請求項１に記載の装置において、
前記導波管に結合された横方向通路と、前記導波管と前記横方向通路とが結合されているところに配置された減衰材料とをさらに備えていることを特徴とする装置。
【請求項４７】
請求項１に記載の装置において、
前記枝状音響導波管セクションの音響エネルギー源のそれぞれは、異なるプログラム情報を放射することを特徴とする装置。
【請求項４８】
請求項７に記載の装置において、
前記自由端部は、前記第１の方向に対してほぼ逆の第２の方向を向いていることを特徴とする装置。
【請求項４９】
請求項１５に記載の音響導波管システムにおいて、
前記第１の導波管セクションに結合された前記音響エネルギー源と、前記第２の導波管セクションに結合された前記音響エネルギー源とは、異なるプログラム情報を放射することを特徴とする音響導波管システム。
【請求項５０】
請求項４９に記載の音響導波管システムにおいて、
前記異なるプログラム情報は、音声源の左側チャンネル及び右側チャンネルを含むことを特徴とする音響導波管システム。
【請求項５１】
請求項５０に記載の音響導波管システムにおいて、
音声源は、実質的に第１及び第２の導波管セクションの終端部の間に配置されていることを特徴とする音響導波管システム。
【請求項５２】
請求項１５に記載の音響導波管システムにおいて、
前記自由端部の断面積Ａと前記導波管の低域遮断周波数での音の波長λとの間の関係が、以下の式によって与えられていることを特徴とする装置。
（ √Ａ）／λ≦０．０６７
【請求項５３】
請求項１５に記載の音響導波管システムにおいて、
共振ピークを十分に減少させるための減衰材料をさらに備えていることを特徴とする音響導波管システム。
【請求項５４】
請求項１５に記載の音響導波管システムにおいて、
共振ピークを十分に減少させるように、前記導波管に結合された横方向通路をさらに備えていることを特徴とする音響導波管システム。
【請求項５５】
請求項１５に記載の音響導波管システムにおいて、
前記導波管に結合された横方向通路と、前記導波管と前記横方向通路とが結合されているところに配置された減衰材料とをさらに備えていることを特徴とする装置。
【請求項５６】
請求項２１に記載の音響導波管システムにおいて、前記１つの自由端部は前記第１の方向とは実質的に逆の第２の方向を向いていることを特徴とする音響導波管システム。